(57)【要約】【課題】椅子の使用者であれランバーサポートの着脱を容易に行うことのできる椅子を提供する。【解決手段】椅子の背もたれは、左右で一対の右枠部２４と左枠部２５とを備えた枠状の背フレーム２１と、右枠部２４と左枠部２５とに取り付けられたランバー取付部品４２，５２と、ランバー取付部品４２，５２の間に掛け渡されたランバーサポート部２７とを備える。ランバー取付部品４２，５２は、ランバーサポート部２７の端部６２，６３を上方及び下方の少なくとも一方から差し込み可能なレール部４２０，５２０を備える。レール部４２０，５２０は、上下方向においてランバーサポート部２７の端部６２，６３が差し込まれる端部を、ランバーサポート部２７の端部６２，６３を通過可能に開放している。【選択図】図３
2019083848.tif 000002
【特許請求の範囲】
【請求項１】
背もたれを有する椅子であって、
前記背もたれは、
左右で一対のフレーム部分を備えた枠状の背フレームと、
各フレーム部分に取り付けられた取付部材と、
前記取付部材の間に掛け渡されたランバーサポートと、を備え、
前記取付部材は、前記ランバーサポートの端部を上方及び下方の少なくとも一方から差し込み可能なレール部を備え、
前記レール部は、上下方向において前記ランバーサポートの端部が差し込まれる端部を、前記ランバーサポートの端部を通過可能に開放している
椅子。
【請求項２】
前記レール部において前記ランバーサポートの端部が差し込まれる端部は、前記ランバーサポートの端部が抜けることを防止する抜け防止部を備える
請求項１に記載の椅子。
【請求項３】
前記抜け防止部は、前記レール部の長手方向の端部に取り付けられる
請求項２に記載の椅子。
【請求項４】
前記ランバーサポートは、腰からの荷重で変形する剛性を有する
請求項１〜３のいずれか一項に記載の椅子。
【請求項５】
前記レール部は、前記ランバーサポートの左右方向への移動を規制する規制壁を有し、
前記ランバーサポートの端部は、前記規制壁と左右方向で当接する
請求項１〜４のいずれか一項に記載の椅子。
【請求項６】
前記規制壁の一部は、前側が開放され、
前記ランバーサポートの端部は、前記規制壁の前側から前記レール部に延設されている
請求項５に記載の椅子。
【請求項７】
前記取付部材は、前記フレーム部分に対して着脱可能である
請求項１〜６のいずれか一項に記載の椅子。
【請求項８】
前記フレーム部分は、前面部に前記取付部材の突起部が固定配置される固定溝を備える
請求項１〜７のいずれか一項に記載の椅子。
【発明の詳細な説明】
【技術分野】
【０００１】
本発明は、腰を支えるランバーサポートを有する椅子に関する。
【背景技術】
【０００２】
従来、ランバーサポートを有する椅子として、特許文献１に記載のような椅子が知られている。
特許文献１に記載の椅子は、背フレームの左右の枠を構成する左右１対の側枠杆に、ランバーサポートの両側端部を上下方向に位置調節を可能にして装着している。この椅子は、両側枠杆に、ランバーサポートの両側端部を上下方向に移動可能として案内するガイド部を備えており、ランバーサポートの左右両側部の後面であって、ガイド部より内方の部分に、後方に向かって突出する操作部を備えている。
【先行技術文献】
【特許文献】
【０００３】
【特許文献１】特開２０１３−９４２８８号公報
【発明の概要】
【発明が解決しようとする課題】
【０００４】
特許文献１に記載の技術によれば、椅子の使用者の好みに合わせてランバーサポートの上下方向の位置を容易に移動させることができるようになる。
ところで、椅子の使用者は、ランバーサポートの有無についても好みがある。つまり、ランバーサポートを好まない使用者は背もたれにランバーサポートのない椅子を選択し、ランバーサポートを好む使用者は背もたれにランバーサポートのある椅子を選択する。しかしながら、椅子の形態を使用者の好みに合わせると、ランバーサポートの有無で２種類の椅子を準備する必要が生じて椅子の管理に手間を要する。また、椅子の形態を１種類に限るものとすると、好みとは相違する椅子を使用者が使用しなければならない。
【０００５】
本発明は、このような実情に鑑みてなされたものであり、その目的は、椅子の使用者がランバーサポートの着脱を容易に行うことのできる椅子を提供することにある。
【課題を解決するための手段】
【０００６】
上記課題を解決する椅子は、背もたれを有する椅子であって、前記背もたれは、左右で一対のフレーム部分を備えた枠状の背フレームと、各フレーム部分に取り付けられた取付部材と、前記取付部材の間に掛け渡されたランバーサポートと、を備え、前記取付部材は、前記ランバーサポートの端部を上方及び下方の少なくとも一方から差し込み可能なレール部を備え、前記レール部は、上下方向において前記ランバーサポートの端部が差し込まれる端部を、前記ランバーサポートの端部を通過可能に開放している。
【０００７】
このような構成によれば、ランバーサポートの左右方向の長さを変化させることなく、ランバーサポートの端部を上方及び下方の少なくとも一方から差し込み移動させてレール部に対して着脱させることができる。つまり、椅子の使用者が椅子に対してランバーサポートの着脱を容易に行うことができる。
【０００８】
上記椅子において、前記レール部において前記ランバーサポートの端部が差し込まれる端部は、前記ランバーサポートの端部が抜けることを防止する抜け防止部を備える。
このような構成によれば、椅子の使用時や移動時等にランバーサポートが離脱するようなことが防止される。
【０００９】
上記椅子において、前記抜け防止部は、前記レール部の長手方向の端部に取り付けられる。
このような構成によれば、レール部の長手方向の端部に抜け防止部が設けられるのでランバーサポートの抜けを防止することが容易である。
【００１０】
上記椅子において、前記ランバーサポートは、腰からの荷重で変形する剛性を有する。
このような構成によれば、抜き差しするときランバーサポートを変形させるのが困難であったとしても、変形が不要である上下方向への移動によって着脱させることができる。
【００１１】
上記椅子において、前記レール部は、前記ランバーサポートの左右方向への移動を規制する規制壁を有し、前記ランバーサポートの端部は、前記規制壁と左右方向で当接する。
このような構成によれば、ランバーサポートの左右方向の変形が抑制されて、背フレームとランバーサポートとの協働によって荷重を受容することができる。
【００１２】
上記椅子において、前記規制壁の一部は、前側が開放され、前記ランバーサポートの端部は、前記規制壁の前側から前記レール部に延設されている。
このような構成によれば、背フレームにおいて前側にランバーサポートを配置できることから、ランバーサポートと背フレームの前方に張られた弾性シートとの間の距離を近くすることができる。
【００１３】
上記椅子において、前記取付部材は、前記フレーム部分に対して着脱可能である。
このような構成によれば、ランバーサポートの不使用時に取付部材も取り外すことができるので背フレームのデザイン性を高く維持することができる。また、ランバーサポートの不使用時に取付部材が背にあたるおそれもない。
【００１４】
上記椅子において、前記フレーム部分は、前面部に前記取付部材の突起部が固定配置される固定溝を備える。
このような構成によれば、ランバーサポートの不使用時に取付部材を固定するための固定溝が見えないことから背フレームのデザイン性を高く維持することができる。
【発明の効果】
【００１５】
本発明によれば、椅子の使用者であれランバーサポートの着脱を容易に行うことができる。
【図面の簡単な説明】
【００１６】
【図１】椅子を具体化した一実施形態における斜視図。
【図２】同実施形態における椅子の背もたれの一部分の背面図。
【図３】同実施形態における椅子の背もたれの一部分の正面図。
【図４】同実施形態におけるランバーサポート部のサポート板の斜め上から見た正面図。
【図５】同実施形態におけるランバーサポート部の金属部材の正面斜視図。
【図６】同実施形態における背フレームの一部を拡大した拡大図。
【図７】同実施形態におけるランバーサポート部の背フレームへの取付部分の拡大図。
【図８】同実施形態における背フレームに設けられる受側部品の斜視図。
【図９】同実施形態におけるランバー取付部品の斜視図。
【図１０】同実施形態におけるランバーサポート部のランバー取付部品の図であって、（ａ）は左側面図、（ｂ）は正面図、（ｃ）は右側面図。
【図１１】同実施形態におけるランバー取付部品の上面図。
【図１２】同実施形態におけるランバーサポート部の位置決め部材及び蓋部の斜視図。
【図１３】同実施形態における蓋部の右側面図。
【図１４】同実施形態における位置決め部材の斜視図。
【発明を実施するための形態】
【００１７】
以下、図１〜図１４を参照して、本発明を具体化した椅子の一実施形態について説明する。
図１に示すように、本実施形態における椅子１０は、キャスタ付の脚部材１１、受台１２、座部１５、肘掛部１６及び背もたれ部２０を備えている。本実施形態では、椅子１０は、座部１５の中央に対して着座可能に開放されている側が前側、座部１５の中央に対して背もたれ部２０の位置する側が後側である。また、本実施形態では、座部１５の中央に対して肘掛部１６の位置する側が右側及び左側であり、脚部材１１に対する座部１５側が上側、座部１５に対する脚部材１１側が下側である。
【００１８】
脚部材１１の中央には、脚柱１１ａが取り付けられている。この脚柱１１ａには、ガススプリングが内蔵されている。このガススプリングは、受台１２から突出した操作レバー１３の操作に応じて、受台１２の高さ調整を行なう。受台１２の上部には、座部１５が取り付けられている。この座部１５は、座板の上にウレタンフォーム等のクッション材が積層され、布等によって被覆されて構成されている。更に、座部１５の座板の両側には、それぞれ肘掛部１６が前後方向に延設されている。各肘掛部１６は、受台１２から座部１５の左右に延設された前後２本の支柱が上方に延び、それら前後２本の支柱の間に肘を載置する上面を有している。肘掛部１６の上面は、ほぼ平らで椅子１０の前後方向に延びる形状を有している。
【００１９】
背もたれ部２０は、前後方向から見て左右対称の形状をしており、背もたれ部２０の外形に追従する略長方形状の背フレーム２１と、この背フレーム２１の上下方向における中央下寄りに取り付けられたランバーサポート部２７と、背フレーム２１に取り付けられた弾性シートとしての背受けシート２６とを備えている。背フレーム２１は、下枠部２３から受台１２に向けて支持部を延ばし、支持部で受台１２を挟み込むように受台１２に取り付けられている。背受けシート２６は、メッシュ形状であり、背フレーム２１の囲う空間を覆うように背フレーム２１の前側、すなわち上枠部２２、下枠部２３、左のフレーム部分としての左枠部２５、及び、右のフレーム部分としての右枠部２４に渡って、前方からの荷重を好適に受けられるように張られている。
【００２０】
椅子１０の背フレーム２１は、上枠部２２の上方にヘッドレスト部３０を備えている。ヘッドレスト部３０は、上枠部２２の後面２２ａに取り付けられた接続部３１と、接続部３１から上方に上枠部２２の後方を迂回する円弧状をなす左右一対の支持柱３２と、支持柱３２の先端に下部後方を支持されるレスト枠３３と、レスト枠３３に張られた頭部受けシート３４とを備えている。
【００２１】
接続部３１は、左右方向を長手方向とし、その長手方向の中央部が上枠部２２に固定されているとともに、長手方向両端部に一対の支持柱３２が取り付けられている。接続部３１は、長手方向の各端部から長手方向を軸心とする回転において前方へ弾性が付与されつつ、前方には移動不可かつ後方には移動可能になっている。つまり、ヘッドレスト部３０は、前方に適度な弾性を付与しつつ、頭部からの荷重を受けて後方に移動する。
【００２２】
レスト枠３３は、後頭部が当接する部分であって、左右方向に長さを有する略長方形状であって、短辺が外方に広がる半円状である略長方形状を有する。また、このレスト枠３３は、左右方向の中央部が後側に突出する略円弧状の曲面をしているとともに、上下方向の中央部が後側に突出する略円弧状の曲面をしている。
【００２３】
頭部受けシート３４は、メッシュ形状であり、レスト枠３３の前側に張られている。
図２に示すように、背フレーム２１には、左枠部２５及び右枠部２４の間にランバーサポート部２７がかけ渡されている。右枠部２４は、前側から見て右方向（図２において左方向）に湾曲し、左枠部２５は、前側から見て左方向（図２において右方向）に湾曲する。右枠部２４と左枠部２５との間の左右方向の間隔は、下枠部２３に繋がる部分と、上枠部２２に繋がる部分とでそれぞれ狭く、ランバーサポート部２７が取り付けられる取付部分２４０，２５０で最も広い。右枠部２４と左枠部２５とは、前側、及び、後側から見て、互いに平行となる直線部分を有していない。
【００２４】
図３に示すように、右枠部２４の取付部分２４０には、右枠部２４に対する背フレーム２１の枠内方向である左方向に張り出すように、ランバー右取付部５０が取り付けられている。また、左枠部２５の取付部分２５０には、左枠部２５に対する枠内方向である右方向に張り出すように、ランバー左取付部４０が取り付けられている。左枠部２５及び右枠部２４の間には、ランバー左取付部４０及びランバー右取付部５０を介してランバーサポート部２７が取り付けられる。
【００２５】
ランバー左取付部４０は、ランバー左取付部４０のなかの枠内方向寄りに、前側から見て上下方向に延びるレール部４２０を有している。ランバー右取付部５０は、ランバー右取付部５０のなかの枠内方向寄りに、前側から見て上下方向に延びるレール部５２０を有している。２つのレール部４２０，５２０は、座部１５から互いに同じ高さに位置し、互いに平行な上下方向に沿う直線部分として備えられている。これら２つのレール部４２０，５２０の間にランバーサポート部２７が上下方向に移動可能に取り付けられている。
【００２６】
なお、図２及び図３は、説明の便宜上、背受けシート２６の描画を割愛している。
図２及び図３に示すように、ランバーサポート部２７は、背フレーム２１において背受けシート２６よりも後側に配置される。ランバーサポート部２７は、左枠部２５及び右枠部２４を結ぶ帯状部６１を備える。帯状部６１は、背フレーム２１内の中央下側であって、肘掛部１６の上面よりも下方の位置に配置されている。ランバーサポート部２７は、ランバーサポート部２７の左右方向における中央部が、左右方向における端部よりも前後方向において後側に突出する略円弧状の曲面を有している。
【００２７】
図３に示すように、ランバーサポート部２７は、水平方向に延びるサポート板６０及び金属部材７０とから構成されている。サポート板６０は、水平方向の各端部６２，６３をそれぞれ対応するレール部４２０，５２０に上下移動可能に嵌合させることで、ランバーサポート部２７を２つのレール部４２０，５２０の間に上下移動可能にしている。
【００２８】
ランバー左取付部４０は、レール部４２０の上部に抜け防止部としての蓋部４３を有している。蓋部４３は、椅子１０の使用時や移動時等に、レール部４２０からランバーサポート部２７が離脱することを防止する。レール部４２０は、蓋部４３が取り除かれると上端に開放された開口部４２５を有し、当該開口部４２５を介してサポート板６０の端部６２のレール部４２０に対する嵌め込みや、抜き出しを可能にする。同様に、ランバー右取付部５０は、レール部５２０の上部の開口部５２５に蓋部５３を有しており、蓋部５３を取り外すことで、開口部５２５を介してサポート板６０の端部６３のレール部５２０に対する嵌め込みや、抜き出しを可能にする。
【００２９】
ところで、ランバーサポート部２７は、背中からの強い荷重を受容する強度（高い剛性）が必要であるが、その強度は、ランバーサポート部２７を人の手で思い通りに曲げることが容易でない程度の強度である。そのため、互いに平行に設置されて間隔が固定されているレール部４２０，５２０間にランバーサポート部２７を一時的に撓ませて取り付けることは容易ではなく、椅子１０の使用者が容易に行える作業ではない。このように、ランバーサポート部２７は、強い強度を有することで腰をサポートする一方、取り付け作業等において変形させることは容易ではない。
【００３０】
そこで、本実施形態では、ランバーサポート部２７の着脱の際、各レール部４２０，５２０の上部に取り付けられた蓋部４３，５３を取り外すことで、ランバーサポート部２７を通常の長さのまま変形させる（撓ませる）ことなく、両レール部４２０，５２０に対して、取り付けや取り外しができるようにしている。すなわち、レール部４２０，５２０に対してランバーサポート部２７を着脱する作業の操作性を、ランバーサポート部２７の強度（剛性）に影響を与えることなく、向上させることができるようにしている。
【００３１】
図４〜図１４を参照して、ランバー左取付部４０、ランバー右取付部５０及びランバーサポート部２７について詳述する。なお、ランバー右取付部５０は、ランバー左取付部４０に対して左右対称の部品であるので、必要な場合を除いて、ランバー右取付部５０についての詳細な説明は割愛する。
【００３２】
（ランバーサポート部２７）
図４に示すように、ランバーサポート部２７の樹脂製のサポート板６０は、左右方向に延びる帯状部６１の左端に端部６２を、同右端に端部６３を備えている。各端部６２，６３は、ランバーサポート部２７のなかでレール部４２０，５２０に入り込む部分を含む。サポート板６０は、帯状部６１の左右方向中央部で上方に延設された背当て部材６１Ａを備える。サポート板６０は、ポリプロピレン（ＰＰ）やナイロン（ＰＡ）等の材料で構成されている。
【００３３】
背当て部材６１Ａは、左右方向を長手方向とし、下側の底辺が幅広である略台形をしている。背当て部材６１Ａは、ＰＰやＰＡ等の材料で構成されているため、利用者の動きによって撓むことができ、背当て部材６１Ａに加わった力が解放された場合には材料自体の弾性変形によって元の形状に戻る。
【００３４】
帯状部６１は、端部６２と端部６３とを介してランバー左取付部４０とランバー右取付部５０との間にかけ渡されている。また、帯状部６１は、端部６２と端部６３との間に金属部材７０（図３等参照）を配置させるための溝状の配置部６９を備える。
【００３５】
配置部６９は、帯状部６１の前方左側で前方に向く溝状の左端固定部６４と、同前方右側で前方に向く溝状の右端固定部６５と、帯状部６１の後方中央で後方に向く溝状の中央部６８（図２参照）とを備える。また配置部６９は、左端固定部６４と中央部６８との間で前後方向に貫通する左貫通孔６６と、右端固定部６５と中央部６８との間で前後方向に貫通する右貫通孔６７とを備える。左端固定部６４は、前方を向く底面６４ａに凸状の凸部６４ｂを有している。凸部６４ｂは、底面６４ａから外方に向かって高くなる傾斜面を有し、最も外方が底面６４ａに対して垂直に立ち上がっており、右方向に対する返しになっている。
【００３６】
端部６２は、レール部４２０に嵌る形状を有している。端部６２は、帯状部６１に一体成型されており、帯状部６１に対して後方に一段下がった嵌め込み部６２ｂと、嵌め込み部６２ｂと帯状部６１とを連結する連結部６２ａと、嵌め込み部６２ｂの後面に上下方向に２つ並んで突設されている２つの位置決め凸部６２ｃ（図１２参照）とを備えている。なお同様に、端部６３も、嵌め込み部６３ｂと、連結部６３ａと、図示しない２つの位置決め凸部とを備える。
【００３７】
図５に示すように、金属部材７０は、ステンレス鋼等の高い強度を有する金属材料からなり、帯状を有している。金属部材７０は、帯状に延びる帯部７１と、帯左端部７２と、帯右端部７５とを有する。金属部材７０は、配置部６９に配置された状態において、帯部７１が帯状部６１の後側にある中央部６８に、帯左端部７２が帯状部６１の左貫通孔６６を挿通して前側の端部６２に、帯右端部７５が帯状部６１の右貫通孔６７を挿通して前側の右端固定部６５にそれぞれ配置される。
【００３８】
帯左端部７２は、左端固定部６４の底面６４ａの凸部６４ｂに嵌る貫通孔７４を備えている。帯左端部７２は、左貫通孔６６から底面６４ａに押し込まれたとき、帯左端部７２が凸部６４ｂに乗りあがって通過するとともに、貫通孔７４が凸部６４ｂに嵌って中央部６８の方向に戻らないようになる。帯右端部７５は、右端固定部６５の底面６５ａに当接するとともに、前方に浮き上がって右貫通孔６７の前側の縁に当接する前方湾曲部７５ａを備える。帯右端部７５は、帯状部６１の湾曲に応じて右端固定部６５を左右に移動することが可能になっている。
【００３９】
（ランバー左取付部４０）
図６に示すように、背フレーム２１は、左枠部２５の前部２５ｂに、左枠部２５に沿って延びる凹部２５ｄを備える。凹部２５ｄは、樹脂成型された左枠部２５におけるヒケ防止（肉盗み）部として機能する。前部２５ｂは、凹部２５ｄの枠外側（左側）に、前後方向に対して最も前方に突出した突出枠２５ｅを有し、凹部２５ｄの枠内側（右側）に、突出枠２５ｅよりも前方への突出長が短い突出壁２５ｆを有している。なお、突出壁２５ｆの枠内側（右側）は、枠内側面２５ｃを構成している。また同様に、右枠部２４は、前部２４ｂと、枠内側面２４ｃと、凹部２４ｄとを備えている。
【００４０】
凹部２５ｄは、左枠部２５の取付部分２５０において、固定溝２５ｇを備えている。固定溝２５ｇは、取付部材としてのランバー取付部品４２（図３参照）を固定する突起部を構成する受側部品４１（図３参照）の取り付け可能な形状、及び、受側部品４１を介してランバー取付部品４２の配置が可能な形状を有している。つまり、固定溝２５ｇは、上下方向に長尺である受側部品４１を配置可能な長さ及び幅を有する溝である。また、固定溝２５ｇは、受側部品４１を上下で固定するねじ受け２５１，２５２を備えている。
【００４１】
図７に示すように、受側部品４１に対してランバー取付部品４２が固定される。受側部品４１は、第１固定部４１１のねじ孔を貫通するねじでねじ受け２５１に固定され、第２固定部４１３のねじ孔を貫通するねじでねじ受け２５２に固定される。本実施形態では、受側部品４１と、ランバー取付部品４２と、蓋部４３と、位置決め部材４４（図３参照）とからランバー左取付部４０が構成される。なお同様に、図３を参照して、受側部品５１と、ランバー取付部品５２と、蓋部５３と、位置決め部材５４とからランバー右取付部５０が構成される。
【００４２】
図８を参照して、受側部品４１は、上下方向において第１固定部４１１と第２固定部４１３との間に、前側に突出する弧状の中間部４１２を有している。中間部４１２は、枠外側で長手方向に延びている爪支持部４１２ａと、枠内側で長手方向に延びているガイド支持部４１２ｃとを備える。中間部４１２は、前後方向に対して爪支持部４１２ａを前段、ガイド支持部４１２ｃを後段とし、爪支持部４１２ａとガイド支持部４１２ｃとの間の段差に段差部４１２ｂを備えている。
【００４３】
爪支持部４１２ａは、長手方向の途中の前面に前方に突出する爪部４１４を有している。爪部４１４は、前方先端に枠内側を向く爪４１５を有している。また、ガイド支持部４１２ｃは、長手方向の途中の前面に前方に突出する一対のガイド４１６を備えている。一対のガイド４１６は、ガイド支持部４１２ｃの長手方向に離間して設けられている。一対のガイド４１６が形成する離間間隔には、左右方向において爪部４１４及び爪４１５が対向している。一対のガイド４１６、その離間間隔が前側から後側に向かって狭くなってすぼむかたちを有する。よって、一対のガイド４１６は、ランバー取付部品４２の突起部を構成する楔形部４２１（図９参照）が後方に向けて押し込まれることで、楔形部４２１を隙間なく挟持することができる。
【００４４】
図８及び図９に示すように、ランバー取付部品４２は、一対のガイド４１６の間に挟まる楔形部４２１と、爪部４１４の爪４１５に嵌合する張出部４２２とを備えている。楔形部４２１は、楔形部４２１の上下方向での幅が前から後ろに向けて先細りする楔形を有しており、一対のガイド４１６が形成する離間間隔に挟まることができる。張出部４２２は、楔形部４２１の表面から爪部４１４に当接位置まで突出するとともに、爪４１５に平行な壁状の凸部であって、爪部４１４からの弾性で爪４１５が嵌合する。詳述すると、張出部４２２が前方から後方へ押し込まれると、まず、爪４１５の表面が受ける押圧によって爪部４１４が外枠側に押される。そして、張出部４２２が爪４１５よりも後方へ押し込まれると、爪部４１４の反力で爪４１５が内枠側に戻り、爪４１５の返しが張出部４２２の側面に引っかかる。これにより、ランバー取付部品４２は、受側部品４１に対して前後方向に移動不可能に固定される。また、楔形部４２１は、一対のガイド４１６の間の離間空間に押し込まれることで上下方向に移動不能に固定される。つまり、ランバー取付部品４２が受側部品４１に対して固定される。
【００４５】
次に図１０及び図１１を参照して、ランバー取付部品４２について説明する。
図１０（ｂ）に示すように、ランバー取付部品４２は、正面４２ａにおいて枠外側である左側に楔形部４２１が突設されている。楔形部４２１は、突出壁２５ｆより左側である左枠部２５の凹部２５ｄ（図６参照）内に配置される。一方、楔形部４２１よりも右側にある外側面４２ｂや正面４２ａは、左枠部２５の凹部２５ｄの枠内側にある突出壁２５ｆよりも右側外方に配置される。つまり、外側面４２ｂは、左枠部２５の枠内側面２５ｃに対向する。
【００４６】
図１０（ａ）及び（ｃ）に示すように、ランバー取付部品４２は、左枠部２５が前方に凸状に湾曲していることに追従するように、前方に凸状の湾曲を有している。
図１０（ｂ）に示すように、ランバー取付部品４２は、左右方向に対して左枠部２５が左方向に凸状に湾曲していることに追従するように、左方向にも凸状の湾曲を有している。ランバー取付部品４２は、正面４２ａの左側に湾曲を有し、正面４２ａの右側に上下方向に直線状に延びるレール部４２０を備えている。ランバー取付部品４２は、ランバー取付部品４２の規制壁を構成する右壁面４２ｄを備える。右壁面４２ｄは、上下方向に延びる形状を有し、レール部４２０は、右壁面４２ｄに沿って直線状に右壁面４２ｄの左側に設けられている。
【００４７】
図１０（ｂ）に示すように、レール部４２０は、ランバー取付部品４２の内部空間４２ｊを含む。内部空間４２ｊの左側は、外側面４２ｂで区画され、内部空間４２ｊの後側は、後面４２ｃで区画され、内部空間４２ｊの前側は、正面４２ａの後側にある前方規制面４２ｋで区画されている。また、内部空間４２ｊの下側は、下部４２ｅの上側にある下端面４２ｈで区画され、内部空間４２ｊの上側は、上側面４２ｆで区画されている。なお、内部空間４２ｊは、正面４２ａと右壁面４２ｄとの間に上下方向の長孔を有している。なお、同様に、ランバー右取付部５０のレール部５２０も、ランバー取付部品５２に内部空間５２ｊを含む（図３参照）。
【００４８】
また、図１０（ｃ）に示すように、レール部４２０は、右壁面４２ｄから見ると、正面４２ａと前方規制面４２ｋとの間に、規制壁を構成する左規制面４２ｇを有し、右壁面４２ｄは後面４２ｃから前側方向への延設されている。なお、右壁面４２ｄから見て、左規制面４２ｇと右壁面４２ｄとは重なり合うように配置されており、すなわち、右壁面４２ｄは後面４２ｃを基端としたとき、前側方向となる先端が、前方規制面４２ｋから正面４２ａまで間に配置されるようになっている。
【００４９】
図１１を参照して、ランバー取付部品４２の内部空間４２ｊについて説明する。図１１に示すように、ランバー取付部品４２を上側から見ると、内部空間４２ｊは、右壁面４２ｄと外側面４２ｂと後面４２ｃと前方規制面４２ｋとで区画されて上下方向に連通する空間である。内部空間４２ｊは、正面４２ａ側は、左側が前方規制面４２ｋで区画されているが、右側は上下方向の長孔で開放されている。よって、内部空間４２ｊに嵌め込まれたランバーサポート部２７の端部６２（図３参照）は、右方向への移動は右壁面４２ｄで規制され、左方向への移動は左規制面４２ｇで規制され、前方向への移動は前方規制面４２ｋで規制され、後方向への移動は後面４２ｃに取り付けられる位置決め部材４４（図３参照）で規制される。一方、内部空間４２ｊに嵌め込まれたランバーサポート部２７の端部６２（図３参照）は、上下方向への移動は、レール部４２０の下端である下端面４２ｈと、レール部４２０の上端である蓋部４３の上端面４３ｈ（図１２参照）とで規定される長さの範囲で許容される。
【００５０】
ところで、ランバー取付部品４２は、正面４２ａの上側が上側面４２ｆよりも手前にある上側端部４２ｉで途切れており、上側端部４２ｉと上側面４２ｆとの間に、内部空間４２ｊを大きく開放する上述した開口部４２５を有している。そして、図９に示すように、開口部４２５は、蓋部４３により封止される。
【００５１】
図１２及び図１３を参照して、蓋部４３について説明する。
蓋部４３は、開口部４２５を封止する略楔形の本体４３１を有し、本体４３１がランバー取付部品４２の右壁面４２ｄ側から外側面４２ｂの方向に移動されてランバー取付部品４２の開口部４２５に嵌め込まれることで開口部４２５を封止する。蓋部４３は、開口部４２５を封止したとき、ランバー取付部品４２との間で一体的な外観を維持する形状である。
【００５２】
本体４３１は、下部右側にレール部４２０の上部を構成するレール上部４３３を有し、反対側の下部左側にレール上部４３３の分だけ左右方向の幅が細くなった細幅部４３２と、上下方向中央にあって、前後方向の左に突出する棒部材４３４とを備えている。棒部材４３４は、ランバー取付部品４２に対する位置決め及び固定に用いられるものである。棒部材４３４は、係止孔４２７への挿通で位置決めをし、先端部の外周に設けられている嵌め合い用の外周凸部が挿入された係止孔４２７に係合することで固定する。
【００５３】
また、本体４３１は、細幅部４３２を介してランバー取付部品４２の正面４２ａに連続する正面４３ａと、正面４３ａの後側にある裏面４３ｂと、ランバー取付部品４２の右壁面４２ｄに連続する右側部４３ｄと、ランバー取付部品４２の上側面４２ｆに連続する上側面４３ｆとを備えている。本体４３１は、レール部４２０の上端となる上端面４３ｈを備えているとともに、内部空間４２ｊに対して、細幅部４３２の裏面がランバー取付部品４２の前方規制面４２ｋに接続し、細幅部４３２の左規制面４３ｇがランバー取付部品４２の左規制面４２ｇに連続する。また、本体４３１は、ランバー取付部品４２の外側面４２ｂに対向する左側部４３ｃを備えている。
【００５４】
例えば、蓋部４３は、ランバー取付部品４２に取り付けられたとき、右側部４３ｄがランバー取付部品４２の右壁面４２ｄと揃う形状であるとともに、正面４３ａがランバー取付部品４２の正面４２ａと揃う形状であることによってランバー取付部品４２に対して一体的な外観を維持している。
【００５５】
また、蓋部４３は、上下方向への移動が棒部材４３４と係止孔４２７との嵌合、及び、正面４３ａの左側凹部とランバー取付部品４２の凸部４２６との嵌合で規制される。また、蓋部４３は、下方への移動は細幅部４３２の下部４３ｉとランバー取付部品４２の上側端部４２ｉと当接でも規制される。また、蓋部４３は、枠外側方向への移動が本体４３１とランバー取付部品４２の外側面４２ｂとの当接で規制され、枠内側方向への移動が棒部材４３４と係止孔４２７との嵌合で規制される。
【００５６】
図３に示すように、ランバー取付部品４２の内部空間４２ｊには、位置決め部材４４が上下方向を長手方向として配置されている。
図１４に示すように、位置決め部材４４は、上下方向に延びる長尺部品であり、長尺である中間部４４３と、中間部４４３の両端にあってねじ止め孔を有するねじ止め端部４４１，４４２とを備えている。中間部４４３は、ねじ止め端部４４１，４４２を結ぶ部材であって、長手方向に交差する幅方向の中央において長手方向に延びて前方にアーチ状を有することで前方への弾性力を有する位置決め部４４４と、位置決め部４４４に長手方向に所定の間隔で形成された凹部である位置凹部４４５とを備えている。
【００５７】
位置決め部材４４は、ねじ止め端部４４１がランバー取付部品４２の上ねじ穴４２８ａ（図１０（ｂ）参照）にねじ（図示略）で固定され、ねじ止め端部４４２がランバー取付部品４２の下ねじ穴４２８ｂ（図１１参照）にねじ（図示略）で固定される。
【００５８】
位置決め部４４４は、その前側の面にランバーサポート部２７の端部６２の嵌め込み部６２ｂの後面にある２つの位置決め凸部６２ｃが当接している。２つの位置決め凸部６２ｃの間隔は、位置凹部４４５の所定の間隔と同じであり、２つの位置決め凸部６２ｃがそれぞれ対応する位置凹部４４５に嵌り込むことでランバーサポート部２７の端部６２の上下方向における位置を固定する。なお、２つの位置決め凸部６２ｃは、位置決め部４４４の弾性で位置凹部４４５に押し付けられていることから、位置凹部４４５からの弾性を押し返して乗り出すことのできる上下方向の力を受けることに応じて、位置凹部４４５から乗り出して位置決め部４４４の表面を摺動し、次の位置凹部４４５に嵌る位置まで移動する。これによって、ランバーサポート部２７の上下方向の位置が定められる。また、ランバーサポート部２７が背中から受ける荷重方向が２つの位置決め凸部６２ｃを位置凹部４４５に押し込む方向の力であることから、椅子１０の使用中にランバーサポート部２７が上下方向に移動するおそれも少ない。
【００５９】
（作用）
図３等を参照して、本実施形態の作用について説明する。
通常、椅子１０の使用者は、座部１５に着座した状態で背中を背受けシート２６に押し付ける。このとき、ランバーサポート部２７は、背中から受ける強い荷重を受容する強度が必要であるが、その荷重は手で与えられるよりも大きい荷重であるため、ランバーサポート部２７には相応の強度が求められ、その強度は人の手で曲げることが容易でない強度である。一方、ランバー取付部品４２のレール部４２０とランバー取付部品５２のレール部５２０との間の間隔は固定されているため、取り付け方法として、ランバーサポート部２７を一時的に撓ませる必要のある構造であると、取り付け作業が椅子１０の使用者が容易に行える作業とはならないおそれがある。すなわち、ランバーサポート部２７は、高い強度で腰をサポートすることが必要である一方、その取り付けや取り外し作業において変形させることは容易でない。
【００６０】
そこで、本実施形態では、各レール部４２０，５２０の上部に開口部４２５，５２５を設けた。これにより、ランバーサポート部２７の取り付け、取り外しのとき、各レール部４２０，５２０の上部の開口部４２５，５２５に嵌められている蓋部４３，５３を取り外すことができる。また、開口部４２５，５２５の間隔がレール部４２０，５２０を構成する内部空間の間隔と同じであるのでランバーサポート部２７を撓ませて左右方向の長さを変化させることなく、両レール部４２０，５２０に対してサポート板６０の両端部６２，６３を嵌め込んだり、抜き出したりすることができる。すなわち、本実施形態によれば、ランバーサポート部２７の強度に影響を与えることなく、ランバーサポート部２７をレール部４２０，５２０に対して嵌め込んだり、抜き出したりする作業についてその操作性を向上させることができる。つまり、椅子１０は、椅子１０の使用者であれランバーサポート部２７の着脱を容易に行うことのできるようになる。
【００６１】
本実施形態の椅子１０によれば、以下のような効果を得ることができる。
（１）ランバーサポート部２７の左右方向の長さを変化させることなく、ランバーサポート部２７の端部６２，６３を上下方向に移動させてレール部４２０，５２０に対して着脱させることができる。よって、椅子１０の利用者が椅子１０に対してランバーサポート部２７の着脱を容易に行うことができる。
【００６２】
（２）ランバーサポート部２７の端部６２，６３がレール部４２０，５２０から抜けることを防止する蓋部４３，５３が設けられているので、椅子１０の使用時や移動時等にランバーサポート部２７が離脱するようなことが防止される。
【００６３】
（３）蓋部４３，５３が開口部４２５，５２５において、前記レール部の長手方向に取り付けられるのでランバーサポート部２７の抜けを防止することが容易である。
（４）抜き差しするときランバーサポート部２７を変形させることは困難であったとしても、変形が不要である上下方向への移動によって着脱させることができる。
【００６４】
（５）レール部４２０，５２０は左右方向への移動を規制する左規制面４２ｇ及び右壁面４２ｄを有していることから、ランバーサポート部２７の左右方向の変形（大きな撓み）が抑制されて、背フレーム２１とランバーサポート部２７との協働によって荷重を受容することができる。
【００６５】
（６）背フレーム２１において前側にランバーサポート部２７が配置されることから、ランバーサポート部２７と背フレーム２１の前方に張られた背受けシート２６との間の距離を近くすることができる。
【００６６】
（７）ランバー取付部品４２，５２は、左枠部２５又は右枠部２４に対して着脱可能であることから、ランバーサポート部２７の不使用時に取り外すことができるので背フレーム２１のデザイン性を高く維持することができる。また、ランバーサポート部２７の不使用時にランバー取付部品４２，５２が背にあたるおそれもない。
【００６７】
（８）ランバーサポート部２７の不使用時にランバー右取付部５０及びランバー左取付部４０を固定するための固定溝２５ｇが見えないことから背フレーム２１のデザイン性を高く維持することができる。
【００６８】
（その他の実施形態）
また、上記実施形態は以下のように変更してもよい。
・上記実施形態のランバーサポート部２７は上下方向に移動可能であったが、ランバーサポート部はランバー取付部品に嵌め込まれた位置で移動できなくてもよい。ランバー取付部品にレール部がないとしても、ランバーサポート部の端部を上下に移動させて嵌合することができればよい。
【００６９】
・上記実施形態では、右枠部２４や左枠部２５の各前側２４ａ，２５ａに固定溝２４ｇ，２５ｇを備える場合について例示した。しかしこれに限らず、ランバー右取付部及びランバー左取付部を固定することができるのであれば、右枠部や左枠部の枠内側面や後側に固定溝が設けられていてもよい。
【００７０】
・上記実施形態では、ランバー取付部品４２，５２は、左枠部２５又は右枠部２４に対して着脱可能である場合について例示したが、これに限らず、ランバー取付部品は、左枠部又は右枠部に対して固定されていてもよい。また、固定は、機械的な嵌合や、ねじでの取り付けでもよいし、一体成型されたものでもよい。
【００７１】
・上記実施形態では、レール部４２０，５２０は前側が開放されている場合について例示したが、これに限らず、レール部は後側や枠内側が開放されていてもよい。
・上記実施形態では、ランバーサポート部２７の端部６２，６３は、後側に一段下がっている場合について例示した。しかし、これに限らず、レール部が後側に向いて開口していればランバーサポート部の端部は、前側に一段上がっていてもよいし、レール部が枠内側に向いて開口していればランバーサポート部の端部は、前後両方側に広がって両方向に一段ずれていてもよい。
【００７２】
・上記実施形態では、ランバーサポート部２７の剛性が高い場合について例示したが、これに限らず、ランバーサポートの剛性が低くてもよい。ランバーサポートの剛性が低い場合であれ、ランバーサポート部の端部がランバー取付部品のレール部に嵌め込まれれば左右方向に抜け落ちない。
【００７３】
・上記実施形態では、レール部４２０，５２０の長手方向の上端部に蓋部４３，５３が設けられる場合について例示したが、これに限らず、ランバーサポート部がレール部から抜けることを防止することができるのであれば、端部に設けられたピン状の部材であってもよいし、こうした部材がレール部の途中に設けられてもよい。
【００７４】
・上記実施形態では、レール部４２０，５２０の上部に蓋部４３，５３が取り付けられている場合について例示したが、これに限らず、ランバーサポート部がレール部から抜け出るおそれがないのであれば、レール部の上部が開放されたままであって、蓋部等が取り付けられていなくてもよい。
【００７５】
・上記実施形態では、蓋部４３，５３がレール部４２０，５２０からランバーサポート部２７が抜けることを防止したが、レール部からランバーサポート部が抜けることを防止することができれば、レール部に設けられたランバーサポート部に対するかえしでもよいし、ランバーサポート部に設けられたレール部に対するかえしでもよい。なお、ランバーサポート部を取り外すとき、当該かえしを無効にすることができるものであればよい。
【００７６】
・上記実施形態では、レール部４２０，５２０の上部に開口部を有する場合について例示したが、これに限らず、ランバーサポート部が抜け出ないのであれば、レール部の下部に開口部を有していてもよいし、レール部の上下にそれぞれ開口部を有していてもよい。
【符号の説明】
【００７７】
１０…椅子、１１…脚部材、１１ａ…脚柱、１２…受台、１３…操作レバー、１５…座部、１６…肘掛部、２０…背もたれ部、２１…背フレーム、２２…上枠部、２２ａ…後面、２３…下枠部、２４…右枠部、２４ａ…前側、２４ｇ…固定溝、２５…左枠部、２５ａ…前側、２５ｂ…前部、２５ｃ…枠内側面、２５ｄ…凹部、２５ｅ…突出枠、２５ｆ…突出壁、２５ｇ…固定溝、２６…背受けシート、２７…ランバーサポート部、３０…ヘッドレスト部、３１…接続部、３２…支持柱、３３…レスト枠、３４…頭部受けシート、４０…ランバー左取付部、４１…受側部品、４２…ランバー取付部品、４２ａ…正面、４２ｂ…外側面、４２ｃ…後面、４２ｄ…右壁面、４２ｅ…下部、４２ｆ…上側面、４２ｇ…左規制面、４２ｈ…下端面、４２ｉ…上側端部、４２ｊ…内部空間、４２ｋ…前方規制面、４３…蓋部、４３ａ…正面、４３ｃ…左側部、４３ｄ…右側部、４３ｆ…上側面、４３ｇ…左規制面、４３ｈ…上端面、４４…位置決め部材、５０…ランバー右取付部、５１…受側部品、５２…ランバー取付部品、５３…蓋部、５４…位置決め部材、６０…サポート板、６１…帯状部、６１Ａ…背当て部材、６２…端部、６２ａ…連結部、６２ｂ…嵌め込み部、６２ｃ…位置決め凸部、６３…端部、６４…左端固定部、６４ａ…底面、６４ｂ…凸部、６５…右端固定部、６５ａ…底面、６６…左貫通孔、６７…右貫通孔、６８…中央部、６９…配置部、７０…金属部材、７１…帯部、７２…帯左端部、７４…貫通孔、７５…帯右端部、７５ａ…前方湾曲部、２４０…取付部分、２５０…取付部分、２５１…ねじ受け、２５２…ねじ受け、４１１…第１固定部、４１２…中間部、４１２ａ…爪支持部、４１２ｂ…段差部、４１２ｃ…ガイド支持部、４１３…第２固定部、４１４…爪部、４１５…爪、４１６…ガイド、４２０…レール部、４２１…楔形部、４２２…張出部、４２５…開口部、４２６…凸部、４２７…係止孔、４２８ａ…上ねじ穴、４３１…本体、４３２…細幅部、４３３…レール上部、４３４…棒部材、４４１，４４２…ねじ止め端部、４４３…中間部、４４４…位置決め部、４４５…位置凹部、５２０…レール部、５２５…開口部。
【図１】
2019083848.tif 000003
【図２】
2019083848.tif 000004
【図３】
2019083848.tif 000005
【図４】
2019083848.tif 000006
【図５】
2019083848.tif 000007
【図６】
2019083848.tif 000008
【図７】
2019083848.tif 000009
【図８】
2019083848.tif 000010
【図９】
2019083848.tif 000011
【図１０】
2019083848.tif 000012
【図１１】
2019083848.tif 000013
【図１２】
2019083848.tif 000014
【図１３】
2019083848.tif 000015
【図１４】
2019083848.tif 000016